(57)【要約】      （修正有）【課題】ラス網を用いた利点を生かしながら、剛性を強化し、しかも取り扱いの極めて簡便な施工作業により型枠を形成し、その作業性を格段に向上させたラス型枠構造を提供する。【解決手段】ラス型枠構造は、横断面がコ字状でその開口部の両側を外側に張り出し成形した耳部と、この両耳部にその一部を切り斜め下向きに曲げ形成したフック４０３を有する支柱４００を、ラス網３００の外側面にフック４０３を引っ掛けて竪状に複数本配置し、鉄筋籠１００を挟む支柱４００間の対向間隔を設定するセパレーター２００により支柱とその外側に横支持パイプ６００を介して連結固定される。【選択図】図１
0003154047.tif 000002
【実用新案登録請求の範囲】
【請求項１】
主筋(101)や肋筋(102)で構成した鉄筋籠(100)の両外側の各々を所定間隔をおいてラス網(300)で囲ってコンクリートを打設するラス型枠構造において、
横断面がコ字状でその開口部(401)の両側を外側に張り出し成形した耳部(402)と、この両耳部(402)にその一部を切り斜め下向きに曲げ形成したフック(403)を有する支柱(400)を、前記ラス網(300)の外側面に前記フック(403)を引っ掛けて竪状に複数本配置し、前記鉄筋籠(100)を挟む支柱(400)間の対向間隔を設定するセパレーター(200)のホームタイ(500)により前記支柱とその外側に横支持パイプ(600)を介して連結固定したことを特徴とするラス型枠構造。
【考案の詳細な説明】
【技術分野】
【０００１】
本考案は、型枠をラス網自体で構成してコンクリートを打設し、そのままコンクリー梁部や壁部を形成するラス型枠構造に関するものである。
【背景技術】
【０００２】
従来から型枠用の合板に替えてラス網を用いたせき板を使用するラス型枠構造 は広く知られている。このラス型枠構造は一般に、鉄筋籠の両外側の各々に所定間隔をおいてラス網部を囲い配設しコンクリートを打設するものである。
前記ラス網には所定の間隔ごとに強化リブを一体的に形成することが一般的である。このラス型枠を用いる構造は、ラス網の空間率が大きいことから、型枠の軽量化や材料費に関するコスト削減に有効である。しかしながら、強化リブとラス網との境界部分には、ラス網形成用の切れ目の端部に生じる応力集中によって損傷が発生しやすい。
【０００３】
これを防止するため前記各ラス網と一体的に断面がコ字型の補強部材を形成したものがあるが、製造工程が複雑でしかも高価であり、且つ補強部材の配置間隔が固定されているため建設現場での自由度が無い。またラス網の配設作業は補強部材付きの重量体のため煩雑で多くの作業工数を要する。
したがって簡易なものとして、前記補強部材の無い一般公知のラス網を用いその外側面に補強専用の支持パイプを竪状に複数本配置し、前記鉄筋籠を挟む支持パイプ間の対向間隔を固定用の保持具により固定した状態でコンクリートを打設する方法が主流となっている。
しかしこれとても補強専用の支持パイプの搬入と取り付け及びコンクリート養生後の撤去搬出作業を要し、しかも当該補強専用の支持パイプと多数のセパレーターとの連結固定作業とコンクリート打設後の解除作業も煩雑であり多くの人手と時間が必要である。
【考案の開示】
【考案が解決しようとする課題】
【０００４】
本考案は、ラス網を用いた利点を生かしながら、簡単な構成の補強体を用いて剛性を強化し、しかも取り扱いの極めて簡便な施工作業により型枠を形成し、その作業性を格段に向上させたラス型枠構造を提供するものである。
【課題を解決するための手段】
【０００５】
本考案の特徴とするところは、次の（1）にある。
（1）、主筋(101)や肋筋(102)で構成した鉄筋籠(100)の両外側の各々を所定間隔をおいてラス網(300)で囲ってコンクリートを打設するラス型枠構造において、
横断面がコ字状でその開口部(401)の両側を外側に張り出し成形した耳部(402)と、この両耳部(402)にその一部を切り斜め下向きに曲げ形成したフック(403)を有する支柱(400)を、前記ラス網(300)の外側面に前記フック(403)を引っ掛けて竪状に複数本配置し、前記鉄筋籠(100)を挟む支柱(400)間の対向間隔を設定するセパレーター(200)のホームタイ(500)により前記支柱とその外側に横支持パイプ(600)を介して連結固定したことを特徴とするラス型枠構造。
【考案の効果】
【０００６】
本考案のラス型枠構造は、ラス網を用いた利点を最大限活かしながら、補強体として簡単な構成の前記支柱を用いて剛性を強化し、しかも前記各ラス網の外側面への前記支柱配置は、前記支柱のフックをラス網に引っ掛けるのみで簡単に竪状配置するので配置自由度も高い。更に前記鉄筋籠を挟む支柱間の対向間隔を設定するセパレーターと該支柱との連結固定は、ホームタイや番線（針金）等により迅速確実に行うことが出来るものである。コンクリートを打設した後は適宜に配置したホームタイのみ外し前記支柱をコンクリート養生後も残留させたままにするため、極めて簡便で迅速な効率の良い施工作業により型枠を形成することができるものである。
次の表１は、施工面積1000m2に対し、従来法の前記補強専用の支持パイプを用いた所謂従来ラス型枠構造：Ｂと本考案の新ラス型枠構造：Ａを実施した際の必要人数を比較して紹介するもので、新ラス型枠構造の４１人は従来ラス型枠構造の71人に比し３0人を低減することができた。  
【０００７】
【表１】
0003154047.tif 000003
【考案を実施するための最良の形態】
【０００８】
本考案は、各種のコンクリート建造物の型枠構造として広く適用することが可能である。特に地中梁などの基礎梁、スラブ部、壁部等に広く適用することができる。
本考案において用いるラス網は、鉄などの金属性で通常適宜なラス網形成機構により、予め切れ目を形成し、この切れ目の部分を拡げてラス網状に変形することにより製作したものである。この際ラス網の網目を形成する網目間の板片部は、下方が内面側（コンクリート打設側）に傾斜するように配設して、コンクリート打設時にコンクリートノロなどが外部へ適度にセーブされながら流出するように構成したものである。つまり前記ラス網の板片部の傾斜方向が上記とは逆になり網目の下方の板片部を外面側（反コンクリート打設側）に傾斜させて配設すると、コンクリート打設時にコンクリートが網目から勢いよく流出してしまうという支障が生じることになるからである。
本考案において用いる前記支柱は、横断面をコ字状の一部開口型として、その開口側をラス網の外側面に圧接するために、開口側の両側に耳部を設けると共に、耳部にフックを設けて、このフックをラス網の網目に外方斜め上方から挿通して引っ掛け保持するものでコンクリートを打設し固化した後、解体撤去することなく、そのまま残置する。その場合、コンクリート外面は打放しのままでもよいし、外面を仕上げるようにしてもよい。支柱の材質は、金属製とし例えば鉄板に亜鉛鍍金したものなどでよい。
本考案において横断面がコ字状の一部開口型の支柱に設ける耳部は、支柱の剛性を更に強化すると共に、ホームタイや番線（針金）等による支柱の保持連結時にラス網に面圧接してラス網を強固に安定支持するものである。
本考案において前記支柱の耳部に所定間隔で成形する複数のフックは、耳部の一部を加工して形成する、例えば耳部の一部をＬ型等に切り込みその上部の未切部（接合部）をラス網側に曲げて斜め下向きのフック体にする等その他適宜な加工方法により突起形成する。又フックの長さは、それぞれ同一長さにしても良いが、この場合はラス網の当該網目へのフック挿入は網目の大きさにもよるが略同時に行う必要がある。しかし上方フックをその下方フックより短めにして最下方フックから順にラス網の当該網目に外方斜め上方から挿通して引っ掛けることが簡便である。  また逆に上方フックをその下方フックより長めにすると先に最上方フックを挿入して配置しておけば、配置調整が容易であり、配置の最終調整後に最上方フックを挿入したまま支柱を少し持ち上げて下方フックを挿入可能位置にして挿入設置すればよい。
本考案において前記鉄筋籠とその両側から挟むラス網との相対位置関係を固定するセパレーターと前記支柱との保持連結は、全数又は一本置き又は複数本置き等の適宜な支柱の上端部のみをホームタイにより保持連結し、その他は番線（針金）等の簡易連結線などで保持連結すればよい。この際前記ホームタイや番線は支柱の他に横支持パイプをも組み込み固定保持してもよい。  
【実施例１】
【０００９】
以下、図面を用いて本考案の実施例を説明する。
図１は、図５に示す本考案のラス型枠構造例により地面に打ったスラブ上に組立てた基礎梁部のラス型枠を示す横断面説明図である。
1240270965906_1
図２の(1)は
1240270965906_2
1240270965906_3
の側面説明図であり、(2)は(1)の円Ｃ内のラス網の拡大説明図である。
図３は本考案における横断面が一部開口型の支柱例の正面（ラス網と当接側）説明図であり、図４は図３の矢視Ａ−Ａからの横断面説明図である。図6は図３の支柱の側面説明図であり、図５は図４の円Ｂ内の拡大説明図である。
図７は、図１と図２に至る過程を二つの概略順を示す説明図であり、(a)は、主筋や肋筋で構成した鉄筋籠の両外側の各々を所定間隔をおいてラス網で囲って配設した状態を示す説明図であり、(b)は、上記のラス網配設後にラス網に横断面をコ字状の開口型とした支柱を配設する状態を示す説明図である。この(ｂ)の状態を終えてから、セパレーターと前記支柱との保持連結を、一本置きの支柱の上部をホームタイで連結保持しその他は番線（針金）で簡易に保持連結した状態が図１と図２である。
【００１０】
図７(a)において、基礎梁部の鉄筋籠100は、主筋101と肋筋102で構成する。
セパレーター200は、丸棒セパレーターで主筋101（スタラップ筋）にセパレータストッパー201で装着保持する。ラス網300は、鉄筋籠100の両外側の各々に丸棒セパレーター201で設定した所定間隔をおいて囲って配設する。この際ラス網300の網目301を形成する網目間の板片部は、下方が内面側（コンクリート打設側）に傾斜するように配設する。302はラス網と一体的に存在させた補強リブである。
横断面コ字状の支柱400は、図２に示すようにラス網300の外側にて縦にして所定間隔で配設するが、支柱400をラス網300に取り付ける方法は、図７(b)に示すように支柱400の耳部402に設けた複数のフック403をラス網300の網目301に外方斜め上方から同時に挿通して引っ掛け保持するのみである。
この後、図１と図２に示すように、前記鉄筋籠100とその両側から挟むラス網300との相対位置関係を固定する前記セパレーター201と前記支柱400との保持連結をする。このセパレーター201と支柱400との保持連結は、一本置きの支柱400の上端部のみをホームタイ500により行う。この際ホームタイ500では支柱400の他に横支持パイプ600をも図1に示すごとく組み込み固定保持する。その他のセパレーター201と支柱400との保持連結は番線（針金）700で行う。番線（針金）700の図面表示は理解し易いようにループ表示してあるが実際は直線状に緊締される。  
この後、ラス網300内にコンクリートを打設し固化した後、支柱400を解体撤去することなく、そのまま残置する。コンクリート外面は打放しのままか、外面を仕上げる。
従って解体作業は、横支持パイプ600とホームタイ500の取り外し作業のみに簡略化される。
【００１１】
而して、前記支柱400は、図３〜図６に示すように、横断面をコ字状にしその開口部分401の両側に外側に張り出し成形した耳部402と、この耳部402にその一部を曲げ形成した複数のフック403を有する。フック403は図６に示すように鉛直から30度斜めに下向き傾斜させてある。支柱400の耳部401は、支柱400の剛性を更に強化すると共に、ホームタイ500とホームタイに代わる番線（針金）700による支柱の保持連結時にラス網300に面圧接してラス網を強固に安定支持する。前記支柱の耳部に所定間隔で成形する複数のフック403は、耳部402の一部を加工して形成してある。本例のフック403は耳部402の一部を図３に示すように正面から見てＬ型とその逆Ｌ字型に切り込みその上部の未切部（接合部）を図４と図６に示すようにラス網側に曲げて斜め下向きに突起形成加工した簡単なものである。
【産業上の利用可能性】
【００１２】
本考案は、型枠をラス網自体で構成してコンクリートを打設し、そのままコンクリー製の地中梁などの基礎梁、スラブ部、壁部梁部や壁部を形成するラス型枠構造であり、各種のコンクリート建造物の型枠構造として広く適用することが可能である。
【図面の簡単な説明】
【００１３】
【図１】図５に示す本考案のラス型枠構造例により組立てた基礎梁部のラス型枠を示す横断面説明図である。
【図２】(1)は1240270965906_41240270965906_5の側面説明図であり、(2)は(1)の円Ｃ内のラス網の拡大説明図である。
【図３】本考案における横断面をコ字状に開口した支柱例の正面説明図である。
【図４】図３の矢視Ａ−Ａからの横断面説明図である。
【図５】図３の側面説明図である。
【図６】図５の円Ｂ内の拡大説明図である。
【図７】図１と図２に至る過程を二つの概略順を示す説明図であり、(a)は、主筋や肋筋で構成した鉄筋籠の両外側の各々を所定間隔をおいてラス網で囲って配設した状態を示す説明図であり、(b)は、上記のラス網配設後にラス網に横断面をコ字状の開口型にした支柱を配設する状態を示す説明図である。
【符号の説明】
【００１４】
１００      鉄筋化後
200      セパレーター
300      ラス網
・  横断面コ字状の支柱
401          開口部
402          耳部
403          フック      
500      ホームタイ
600      横支持パイプ
700      番線（針金）
【図１】
0003154047.tif 000004
【図２】
0003154047.tif 000005
【図３】
0003154047.tif 000006
【図４】
0003154047.tif 000007
【図５】
0003154047.tif 000008
【図６】
0003154047.tif 000009
【図７】
0003154047.tif 000010
【手続補正書】
【提出日】平成21年7月30日(2009.7.30)
【手続補正１】
【補正対象書類名】実用新案登録請求の範囲
【補正対象項目名】全文
【補正方法】変更
【補正の内容】
【実用新案登録請求の範囲】
【請求項１】
主筋(101)や肋筋(102)で構成した鉄筋籠(100)の両外側の各々を所定間隔をおいてラス網(300)で囲ってコンクリートを打設するラス型枠構造において、
横断面がコ字状でその開口部(401)の両側を外側に張り出し成形した耳部(402)と、この両耳部(402)にその一部を切り斜め下向きに曲げ形成したフック(403)を有する支柱(400)を、前記ラス網(300)の外側面に前記フック(403)を引っ掛けて竪状に複数本配置し、前記鉄筋籠(100)を挟む支柱(400)間の対向間隔を設定するセパレーター(200)により前記支柱とその外側に横支持パイプ(600)を介して連結固定したことを特徴とするラス型枠構造。
【手続補正２】
【補正対象書類名】明細書
【補正対象項目名】全文
【補正方法】変更
【補正の内容】
【考案の詳細な説明】
【技術分野】
【０００１】
本考案は、型枠をラス網自体で構成してコンクリートを打設し、そのままコンクリー梁部や壁部を形成するラス型枠構造に関するものである。
【背景技術】
【０００２】
従来から型枠用の合板に替えてラス網を用いたせき板を使用するラス型枠構造 は広く知られている。このラス型枠構造は一般に、鉄筋籠の両外側の各々に所定間隔をおいてラス網部を囲い配設しコンクリートを打設するものである。
前記ラス網には所定の間隔ごとに強化リブを一体的に形成することが一般的である。このラス型枠を用いる構造は、ラス網の空間率が大きいことから、型枠の軽量化や材料費に関するコスト削減に有効である。しかしながら、強化リブとラス網との境界部分には、ラス網形成用の切れ目の端部に生じる応力集中によって損傷が発生しやすい。
【０００３】
これを防止するため前記各ラス網と一体的に断面がコ字型の補強部材を形成したものがあるが、製造工程が複雑でしかも高価であり、且つ補強部材の配置間隔が固定されているため建設現場での自由度が無い。またラス網の配設作業は補強部材付きの重量体のため煩雑で多くの作業工数を要する。
したがって簡易なものとして、前記補強部材の無い一般公知のラス網を用いその外側面に補強専用の支持パイプを竪状に複数本配置し、前記鉄筋籠を挟む支持パイプ間の対向間隔を固定用の保持具により固定した状態でコンクリートを打設する方法が主流となっている。
しかしこれとても補強専用の支持パイプの搬入と取り付け及びコンクリート養生後の撤去搬出作業を要し、しかも当該補強専用の支持パイプと多数のセパレーターとの連結固定作業とコンクリート打設後の解除作業も煩雑であり多くの人手と時間が必要である。
【考案の開示】
【考案が解決しようとする課題】
【０００４】
本考案は、ラス網を用いた利点を生かしながら、簡単な構成の補強体を用いて剛性を強化し、しかも取り扱いの極めて簡便な施工作業により型枠を形成し、その作業性を格段に向上させたラス型枠構造を提供するものである。
【課題を解決するための手段】
【０００５】
本考案の特徴とするところは、次の（1）にある。
（1）、主筋(101)や肋筋(102)で構成した鉄筋籠(100)の両外側の各々を所定間隔をおいてラス網(300)で囲ってコンクリートを打設するラス型枠構造において、
横断面がコ字状でその開口部(401)の両側を外側に張り出し成形した耳部(402)と、この両耳部(402)にその一部を切り斜め下向きに曲げ形成したフック(403)を有する支柱(400)を、前記ラス網(300)の外側面に前記フック(403)を引っ掛けて竪状に複数本配置し、前記鉄筋籠(100)を挟む支柱(400)間の対向間隔を設定するセパレーター(200)により前記支柱とその外側に横支持パイプ(600)を介して連結固定したことを特徴とするラス型枠構造。
【考案の効果】
【０００６】
本考案のラス型枠構造は、ラス網を用いた利点を最大限活かしながら、補強体として簡単な構成の前記支柱を用いて剛性を強化し、しかも前記各ラス網の外側面への前記支柱配置は、前記支柱のフックをラス網に引っ掛けるのみで簡単に竪状配置するので配置自由度も高い。更に前記鉄筋籠を挟む支柱間の対向間隔を設定するセパレーターによる該支柱との連結固定は、テーパーピンや番線（針金）等の固定具により迅速確実に行うことが出来るものである。コンクリートを打設した後は適宜に配置したテーパーピン等の固定具（市販品ではホームタイ（登録商標）等がある）のみ外し前記支柱をコンクリート養生後も残留させたままにするため、極めて簡便で迅速な効率の良い施工作業により型枠を形成することができるものである。
次の表１は、施工面積1000m2に対し、従来法の前記補強専用の支持パイプを用いた所謂従来ラス型枠構造：Ｂと本考案の新ラス型枠構造：Ａを実施した際の必要人数を比較して紹介するもので、新ラス型枠構造の４１人は従来ラス型枠構造の71人に比し３0人を低減することができた。  
【０００７】
【表１】
0003154047.tif 000011
【考案を実施するための最良の形態】
【０００８】
本考案は、各種のコンクリート建造物の型枠構造として広く適用することが可能である。特に地中梁などの基礎梁、スラブ部、壁部等に広く適用することができる。
本考案において用いるラス網は、鉄などの金属性で通常適宜なラス網形成機構により、予め切れ目を形成し、この切れ目の部分を拡げてラス網状に変形することにより製作したものである。この際ラス網の網目を形成する網目間の板片部は、下方が内面側（コンクリート打設側）に傾斜するように配設して、コンクリート打設時にコンクリートノロなどが外部へ適度にセーブされながら流出するように構成したものである。つまり前記ラス網の板片部の傾斜方向が上記とは逆になり網目の下方の板片部を外面側（反コンクリート打設側）に傾斜させて配設すると、コンクリート打設時にコンクリートが網目から勢いよく流出してしまうという支障が生じることになるからである。
本考案において用いる前記支柱は、横断面をコ字状の一部開口型として、その開口側をラス網の外側面に圧接するために、開口側の両側に耳部を設けると共に、耳部にフックを設けて、このフックをラス網の網目に外方斜め上方から挿通して引っ掛け保持するものでコンクリートを打設し固化した後、解体撤去することなく、そのまま残置する。その場合、コンクリート外面は打放しのままでもよいし、外面を仕上げるようにしてもよい。支柱の材質は、金属製とし例えば鉄板に亜鉛鍍金したものなどでよい。
本考案において横断面がコ字状の一部開口型の支柱に設ける耳部は、支柱の剛性を更に強化すると共に、セパレーター200の端部に螺合させた穴付部材800の穴に差し込むテーパーピン500（本例は市販品のホームタイ（登録商標）を使用）や番線（針金）700等による支柱の保持連結時にラス網に面圧接してラス網を強固に安定支持するものである。
本考案において前記支柱の耳部に所定間隔で成形する複数のフックは、耳部の一部を加工して形成する、例えば耳部の一部をＬ型等に切り込みその上部の未切部（接合部）をラス網側に曲げて斜め下向きのフック体にする等その他適宜な加工方法により突起形成する。又フックの長さは、それぞれ同一長さにしても良いが、この場合はラス網の当該網目へのフック挿入は網目の大きさにもよるが略同時に行う必要がある。しかし上方フックをその下方フックより短めにして最下方フックから順にラス網の当該網目に外方斜め上方から挿通して引っ掛けることが簡便である。  また逆に上方フックをその下方フックより長めにすると先に最上方フックを挿入して配置しておけば、配置調整が容易であり、配置の最終調整後に最上方フックを挿入したまま支柱を少し持ち上げて下方フックを挿入可能位置にして挿入設置すればよい。
本考案において前記鉄筋籠とその両側から挟むラス網との相対位置関係を固定するセパレーターと前記支柱との保持連結は、全数又は一本置き又は複数本置き等の適宜な支柱の上端部のみをテーパーピンにより保持連結し、その他は番線（針金）等の簡易連結線などで保持連結すればよい。この際前記テーパーピンや番線は支柱の他に横支持パイプをも組み込み固定保持してもよい。  
【実施例１】
【０００９】
以下、図面を用いて本考案の実施例を説明する。
図１は、図５に示す本考案のラス型枠構造例により地面に打ったスラブ上に組立てた基礎梁部のラス型枠を示す横断面説明図である。
図２の(1)は
図１の側面説明図であり、(2)は(1)の円Ｃ内のラス網の拡大説明図である。
図３は本考案における横断面が一部開口型の支柱400例の正面（ラス網と当接側）説明図であり、図４は図３の矢視Ａ−Ａからの横断面説明図である。図6は図３の支柱400の側面説明図であり、図５は図４の円Ｂ内の拡大説明図である。
図７は、図１と図２に至る過程を二つの概略順を示す説明図であり、(a)は、主筋101や肋筋102で構成した鉄筋籠100の両外側の各々を所定間隔をおいてラス網300で囲って配設した状態を示す説明図であり、(b)は、上記のラス網300配設後にラス網300に横断面をコ字状の開口型とした支柱400を配設する状態を示す説明図である。この(ｂ)の状態を終えてから、セパレーター200と前記支柱400との保持連結を、一本置きの支柱400の上部をセパレーター200の端部に螺合させた穴付部材800の穴にテーパーピン500を差し込んで締め連結保持しその他は番線（針金）で簡易に保持連結した状態が図１と図２である。
【００１０】
図７(a)において、基礎梁部の鉄筋籠100は、主筋101と肋筋102で構成する。
セパレーター200は、丸棒状のセパレーターで主筋101（スタラップ筋）にセパレータストッパー201で装着保持する。ラス網300は、鉄筋籠100の両外側の各々にセパレーター200で設定した所定間隔をおいて囲って配設する。この際ラス網300の網目301を形成する網目間の板片部は、下方が内面側（コンクリート打設側）に傾斜するように配設する。302はラス網と一体的に存在させた補強リブである。
横断面コ字状の支柱400は、図２に示すようにラス網300の外側にて縦にして所定間隔で配設するが、支柱400をラス網300に取り付ける方法は、図７(b)に示すように支柱400の耳部402に設けた複数のフック403をラス網300の網目301に外方斜め上方から同時に挿通して引っ掛け保持するのみである。
この後、図１と図２に示すように、前記鉄筋籠100とその両側から挟むラス網300との相対位置関係を固定する前記セパレーター200と前記支柱400とを保持連結する。このセパレーター200と支柱400との保持連結は、一本置きの支柱400の上端部のみをセパレーター200の端部に穴付部材800を螺合させこの穴付部材800の穴にテーパーピン500を差し込むことにより行う。この際テーパーピン500では支柱400の他に横支持パイプ600をも図1に示すごとく組み込み固定保持する。その他のセパレーター200と支柱400との保持連結は番線（針金）700で行う。番線（針金）700の図面表示は理解し易いようにループ表示してあるが実際は直線状に緊締される。  
この後、ラス網300内にコンクリートを打設し固化した後、支柱400を解体撤去することなく、そのまま残置する。コンクリート外面は打放しのままか、外面を仕上げる。
従って解体作業は、テーパーピン500を抜き取り外して横支持パイプ600の押さえを解除して撤去する作業のみに簡略化される。
【００１１】
而して、前記支柱400は、図３〜図６に示すように、横断面をコ字状にしその開口部分401の両側に外側に張り出し成形した耳部402と、この耳部402にその一部を曲げ形成した複数のフック403を有する。フック403は図６に示すように鉛直から30度斜めに下向き傾斜させてある。支柱400の耳部401は、支柱400の剛性を更に強化すると共に、テーパーピン500とテーパーピンに代わる番線（針金）700による支柱の保持連結時にラス網300に面圧接してラス網を強固に安定支持する。前記支柱の耳部に所定間隔で成形する複数のフック403は、耳部402の一部を加工して形成してある。本例のフック403は耳部402の一部を図３に示すように正面から見てＬ型とその逆Ｌ字型に切り込みその上部の未切部（接合部）を図４と図６に示すようにラス網側に曲げて斜め下向きに突起形成加工した簡単なものである。
【産業上の利用可能性】
【００１２】
本考案は、型枠をラス網自体で構成してコンクリートを打設し、そのままコンクリー製の地中梁などの基礎梁、スラブ部、壁部梁部や壁部を形成するラス型枠構造であり、各種のコンクリート建造物の型枠構造として広く適用することが可能である。
【図面の簡単な説明】
【００１３】
【図１】図５に示す本考案のラス型枠構造例により組立てた基礎梁部のラス型枠を示す横断面説明図である。
【図２】(1)は図１の側面説明図であり、(2)は(1)の円Ｃ内のラス網の拡大説明図である。
【図３】本考案における横断面をコ字状に開口した支柱例の正面説明図である。
【図４】図３の矢視Ａ−Ａからの横断面説明図である。
【図５】図３の側面説明図である。
【図６】図５の円Ｂ内の拡大説明図である。
【図７】図１と図２に至る過程を二つの概略順を示す説明図であり、(a)は、主筋や肋筋で構成した鉄筋籠の両外側の各々を所定間隔をおいてラス網で囲って配設した状態を示す説明図であり、(b)は、上記のラス網配設後にラス網に横断面をコ字状の開口型にした支柱を配設する状態を示す説明図である。
【符号の説明】
【００１４】
100      鉄筋化後
200      セパレーター
300      ラス網
400      横断面コ字状の支柱
401      開口部
402      耳部
403      フック      
500      テーパーピン
600      横支持パイプ
700      番線（針金）
800      穴付部材
【手続補正３】
【補正対象書類名】図面
【補正対象項目名】図１
【補正方法】変更
【補正の内容】
【図１】
0003154047.tif 000012